(57)【要約】【課題】  ２番物専用の処理胴を備えない安価な構造でありながら、２番物を効率良く選別処理することができるようにする。【解決手段】  扱室２の下方に揺動選別部５を配備するとともに、浮塵を吸引して機外に排出する排塵ファン１９を揺動選別部５の後部上方箇所に配備し、２番還元装置１８によって揚送された２番物を揺動選別部５に還元供給して再選別処理するよう構成した脱穀装置において、２番還元装置１８の上端部に設けた排出口２１を排塵ファン１９における吸引域に臨んで開口し、排出口２１から送出された２番物を揺動選別ケース７の後部に落下供給するよう構成してある。【選択図】        図２
2005102540.tif 000002
【特許請求の範囲】
【請求項１】
扱室の下方に揺動選別部を配備するとともに、浮塵を吸引して機外に排出する排塵ファンを揺動選別部の後部上方箇所に配備し、２番還元装置によって揚送された２番物を揺動選別部に還元供給して再選別処理するよう構成した脱穀装置において、
前記２番還元装置の上端部に設けた排出口を前記排塵ファンにおける吸引域に臨んで開口し、排出口から送出された２番物を揺動選別ケースの後部に落下供給するよう構成してあることを特徴とする脱穀装置。
【請求項２】
前記排出口から排出された２番物を揺動選別ケースの後部所定位置に案内する縦壁状のガイド板を設けてある請求項１記載の脱穀装置。
【発明の詳細な説明】
【技術分野】
【０００１】
本発明は、コンバインに搭載される脱穀装置に関し、詳しくは、扱室の下方に揺動選別部を配備するとともに、浮塵を吸引して機外に排出する排塵ファンを揺動選別部の後部上方箇所に配備し、２番還元装置によって揚送された２番物を揺動選別部に還元供給して再選別処理するよう構成した脱穀装置に関する。
【背景技術】
【０００２】
上記構成の脱穀装置の２番物還元構造としては、２番物を専用の処理胴で強制的に再処理したのち再選別するものや、２番物を揺動選別部に還元供給して再選別処理するものがあり、構造が簡単で安価に実施できる後者においては、略鉛直に立設された２番還元装置によって揚送された２番物を前方に向けて飛散排出して、揺動選別部に備えられた揺動選別ケースの前部に還元供給するように構成したもの（例えば、特許文献１参照）や、前方に傾斜立設された２番還元装置によって揚送された２番物を揺動選別ケースの前部に還元供給するように構成したもの（例えば、特許文献２参照）、などが多用されている。
【特許文献１】特開２００１−２７５４７２号公報
【特許文献２】特開２００３−９６４０号公報
【発明の開示】
【発明が解決しようとする課題】
【０００３】
揚送された２番物を揺動選別ケースの前部に還元供給する２番物還元構造は、２番物の再選別処理経路を長く確保して２番物の単粒化を図ることができる利点があるが、ワラくずが多量に含まれた２番物が扱室の受網を漏下した処理物の選別経路に上手に還元供給されるために、２番物中のワラくずが揺動選別ケースからの１番物（穀粒）の漏下効率を低下させる一因になりやすく、コンバインの刈取り走行速度を速めての単位時間当たりの収穫量を多くする高能率作業を行うことが困難となるものであった。
【０００４】
本発明は、このような点に着目してなされたものであって、２番物専用の処理胴を備えない安価な構造でありながら、２番物を効率良く選別処理することができるようにすることを目的としている。
【課題を解決するための手段】
【０００５】
第１の発明は、扱室の下方に揺動選別部を配備するとともに、浮塵を吸引して機外に排出する排塵ファンを揺動選別部の後部上方箇所に配備し、２番還元装置によって揚送された２番物を揺動選別部に還元供給して再選別処理するよう構成した脱穀装置において、
前記２番還元装置の上端部に設けた排出口を前記排塵ファンにおける吸引域に臨んで開口し、排出口から送出された２番物を揺動選別ケースの後部に落下供給するよう構成してあることを特徴とする。
【０００６】
上記構成によると、扱室の受網から漏下した処理物は揺動動選別部における揺動選別作用を受けて１番物（穀粒）と２番物に選別回収され、１番物は機外の回収部に搬出されるとともに、２番物は２番還元装置によって揚送された後、揺動選別部に還元供給して再選別処理される。
【０００７】
揚送された２番物は２番還元装置の上端部に設けられた排出口から送出され、揺動選別部の後部に向けて落下供給されるのであるが、この落下経路が排塵ファンの吸引域にあるために、排塵ファンの吸引力や揺動選別部から後方上方に向けて吹き上げ流動する一部の選別風が落下する２番物に作用する。２番物に多く含まれるワラ屑は大きくて風を受けやすいので後方に押し流されながら落下して揺動選別部の終端近くに供給されるのに対して、２番物に含まれる穀粒や枝梗付き穀粒は形状が小さく質量が大きいので、風に流されること少なく揺動選別部後部の所定位置に供給されて所定の再選別処理を受ける。また、２番物に含まれるワラ屑のうちで特に軽いものは排塵ファンに吸引されて機外に強制排出されてゆく。
【０００８】
従って、第１の発明によると、２番物を揺動選別部の後部に還元供給することで、２番物が揺動選別部の前部での選別機能に悪影響を及ぼすことがなくなり、扱室からの漏下量を多くしての高負荷脱穀に対しても対応できる揺動選別処理を行うことが可能となる。しかも、揺動選別部の後部に還元供給される２番物の再選別処理経路長さは短いものとなるが、本来備えられた排塵構造を有効に活用して２番物のワラ屑と穀粒を前後に位置分け選別して揺動選別部の後部に還元供給するので、短い再選別処理経路長さでも効率のよく選別処理することができ、全体としての選別効率を高めることができるのである。
【０００９】
第２の発明は、上記第１の発明において、前記排出口から排出された２番物を揺動選別ケースの後部所定位置に案内する縦壁状のガイド板を設けてあることを特徴とする。
【００１０】
上記構成によると、排出口から排出された２番物のうちの風で押し流されにくい穀粒は、ガイド板の案内によって揺動選別部の所定位置（例えば１番回収部に漏下しやすい位置）から外れることなく還元供給され、所定の再選別処理を適正に受ける。
【００１１】
従って、第１の発明によると、第１の発明の上記効果をもたらすとともに、２番物に含まれる穀粒の回収効率を高めるのに有効となる。
【発明を実施するための最良の形態】
【００１２】
図１に、本発明に係る脱穀装置の縦断した側面図が示されている。この脱穀装置は、コンバインに搭載されて使用されるものであって、図外左方に配備された刈取り部で刈取られて横倒れ姿勢で搬送されてきた刈取り穀稈をフィードチェーン１で受取り、その穂部を扱室２に挿入した状態で図中左方から右方に通過搬送することで、扱室２に前後水平に軸支した扱胴３によって脱穀処理し、穀稈から分離した処理物を扱室下部に沿って張設した受網４で選別し、受網４を漏下した細かい処理物を扱室２の下方に配備された揺動選別部５の前半部に落下供給するとともに、受網４を漏下しなかった大きい処理物を扱室終端の送塵口６から搬出して揺動選別部５の中間部に落下供給し、揺動選別部５に落下供給された処理物を前後に長い揺動選別ケース７で受け止め、載置した処理物を後方（図では右方）に向けて揺動搬送しながら粗選別用の前部チャフシーブ８、精選別用のグレンシーブ９、解し用の選別ラック１０、後部チャフシーブ１１、ストローラック１２、などを利用して篩い選別するとともに、選別部前部に備えた唐箕１３から後方上方に向けて供給された選別風を吹き付けて風選処理し、グレンシーブ９や後部チャフシーブ１１の前部から漏下した穀粒を１番回収部１４に選別回収するとともに、後部チャフシーブ１１やストローラッ１２から漏下した２番物を２番回収部１５に選別回収し、１番回収部１４に回収した穀粒を１番スクリュー１６によって機外にまで横送りした後、図示されない搬出装置によって揚送して穀粒タンクなどの回収部に供給し、２番回収１５に回収した２番物を２番スクリュー１７によって横送りした後、スクリュー式の２番還元装置１８によって揚送し、揺動選別ケース７の後半部に還元供給して再選別処理を行うように構成されている。
【００１３】
また、扱室２の後方で揺動選別部５の後部上方箇所には、排ワラ搬送経路の下側に位置させて横断流ファンからなる排塵ファン１９が横架されており、扱２の終端に形成された送塵口６から吹き出てきた浮塵やワラ屑、選別風によって揺動選別部５の後部上方に吹き上げられた浮塵やワラ屑が排塵ファン１９に吸引されて強制的に機体後方に排出されるようになっている。
【００１４】
図２および図３に示すように、前記２番還元装置１８は、鉛直に立設された搬送筒１８ａに２番スクリュー１１に連動連結された縦スクリュー１８ｂを内装したスクリューコンベアで構成されており、搬送筒１８ａの上端に機体内方に向けて排出口２１が開口さている。そして、揚送された２番物が縦スクリュー１８ｂの上端に設けた排出羽根１８ｃによって排出口２１から跳ね出されて揺動選別ケース７の後部に落下供給されるようになっている。
【００１５】
ここで、前記排出口２１は排塵ファン１９の上手近くに位置して、排出口２１から排出された２番物の落下経路が排塵ファン１９の吸引域に位置するとともに、揺動選別ケース７の後部を通過して吹き上がる一部の選別風の流路内にも位置しており、排出口２１から排出されて落下してゆく２番物に、排塵ファン１９の吸引力や一部の選別風が作用し、２番物に多く含まれるワラ屑は大きくて風を受けやすいので後方に押し流されながら落下して揺動選別ケース７の終端近くのストローラック１２辺りに供給される。また、２番物に含まれる穀粒や枝梗付き穀粒は形状が小さく質量が大きいので風に流されること少なく、揺動選別部ケース７におけるストローラック１２よりも上手側位置に落下供給され、それぞれが所定の再選別処理を受ける。また、排出口２１から送出されて落下する２番物に含まれるワラ屑のうちで特に軽いものは排塵ファン１９に吸引されて機外に強制排出されてゆく。
【００１６】
また、排出口２１の前方位置には、扱室２の後側板から延設された前後に面する縦壁状のガイド板２２が排出口２１から２番物落下流路の途中までに亘って配備されており、排出口２１から送出された２番物に含まれる穀粒が必要以上に前方に飛散することがガイド板２２で阻止され、１番回収用の流下案内板２３で案内回収できる位置範囲に落下供給されるようになっている。
【図面の簡単な説明】
【００１７】
【図１】脱穀装置全体の縦断側面図
【図２】脱穀装置後部の縦断側面図
【図３】２番還元構造の縦断正面図
【符号の説明】
【００１８】
２            扱室
５            揺動選別部
７            揺動選別ケース
１８          ２番還元装置
１９          排塵ファン
２１          排出口
２２          案内板
【図１】
2005102540.tif 000003
【図２】
2005102540.tif 000004
【図３】
2005102540.tif 000005